(57)【要約】【課題】  従来のＣＢ（コンクリートブロック）塀は地震時に倒壊が多く又倒壊した多重量なＣＢにより人々への被害、非難、救助が容易でなく安全対策が急務である。【解決手段】  間伐材等を加工乾燥させた長短尺部材を機械加工して高品質なＷ．Ｂ（木材ブロック）製品を提供する。Ｗ．Ｂ積み上げ工法は、基礎に固定された土台用Ｗ．Ｂ上端にさね（中継ぎ木材）を固定、上段Ｗ．Ｂを落とし込み固定、さねを介して上段へと積み上げる工法と基礎に土台、柱用Ｗ．Ｂを同時固定させ土台上端にさねを固定し、上段Ｗ．Ｂを柱間へ落とし込み上下、両端を固定する同要領で上段へと積み上げる工法とする。積み上げたＷ．Ｂ塀の上部及び独立基礎に固定されたフック付アンカーボルトをターンバックル付きワイヤー等で控えた倒壊防止工法とすることにより、地震の被害減少、非難、救助が容易になり、また、Ｗ．Ｂ塀の普及により山林の保護、水資源回復、雇用の促進、Ｗ．Ｂ塀構築により、環境に優しい街づくり、景観を提供する。【選択図】図３
2005315043.tif 000002
【特許請求の範囲】
【請求項１】
間抜材等を用いた木材ブロック部材１，２は基本断面１対２の長方形とした長角木材、長一面丸太木材の上下にさね（中継ぎ木材）固定用の溝を所定寸法に加工、長手方向寸法を基本断面１対２に対して４の倍数で長尺化、両端に所定継ぎ手方法を加工し、土台、控え壁用、笠木用部材を所定寸法により加工した機能的な木材ブロック。
【請求項２】
小径木な間抜材等を用いて１対１の正方形断面の長角木材、長一面丸太木材をさねで介して重ねて一枚の基本断面木材ブロック３，４とし、請求項１記載要領で上下、長尺化した両端、土台、控え壁用、笠木用部材を加工した木材ブロック。
【請求項３】
門柱用木材ブロック部材７を大径な間抜材等を用いて所定寸法により、正方長角材を輪切りした木材の４辺にさね取り付け用の溝を加工し、門柱笠木１０として所定寸法により中心部から４辺へ斜め加工した門柱用木材ブロック。
【請求項４】
積み上げ工法により柱を用いる木材ブロック塀部材の柱として正方角材、長方角材、一面丸太材、二面丸太材を所定寸法により溝を加工して請求項１，２記載による木材ブロック受け柱としての木材ブロック部材。
【請求項５】
塀及び補強控え壁は、木材ブロック１−１〜４−１をコンクリート基礎２０上にアンカーボルト２３で固定させ、塀１段目の土台とし、土台上部に加工された溝へさね（中継ぎ木材）１８を固定、２段目の木材ブロック１〜４の下端に加工された溝をさね１８上に落とし込み固定して木材ブロック１〜４の上端に加工された溝へさね１８を固定させ、３段目を落とし込み固定する工程を繰り返して上段へと積み上げ、最上段における最後のさね１８を最上段木材ブロックに固定さして木材ブロック５，６，８〜１０をさね上に固定して構築する乾式方法による木材ブロック塀の積み上げ施工工法。
【請求項６】
塀及び補強控え壁は、基礎２０上に所定の間隔で木材ブロック部材柱１１〜１７と１段目の土台となる木材ブロック１−１〜４−１をアンカーボルト、片引き、両引きボルトで固定し、柱に加工された溝を通じて柱間へ木材ブロック１〜４を落とし込み請求項２記載要領で、さね１８を介して固定し、同時に木材ブロックの両端も柱に固定させる工程を繰り返して上段へと積み上げ最上段の木材ブロック上にさね１８を固定して柱１１〜１７間の木材ブロック笠木８、９を固定させて仕上げる木材ブロック塀の積み上げ施工工法。
【請求項７】
木材ブロックで、構築された木材ブロック塀の上部に固定するフック付アンカーボルト２５と塀基礎より、別に設置された基礎２０に固定されたフック付アンカーボルト２５をターンバックル２７付ワイヤー又は鉄筋２６で引き合わせた木材ブロック塀の倒壊防止工法。
【発明の詳細な説明】
【技術分野】
【０００１】  建築物（住宅、工場、公共施設、他）公園等の外構、塀の構築、老朽化、耐震塀等に関する。
【背景技術】
【０００２】  ブロック塀、ブロック塀の施工方法、及びブロック塀用支柱
特許文献１によればブロック塀、ブロック塀の施工方法及びブロック塀の友柱基礎上に複数個のブロックを積み上げモルタルによって固定することにより構成する。ブロック塀において隣接する複数個のブロックの間を通りながら、基礎に立てられたブロック塀用支柱とブロック塀用支柱に対して略直角方向に架けられた横架棒とを備えて構成した。
特開２０００−２３０３５１号公報【０００３】  コンクリートブロック塀の倒れ防止の為の構造
特許文献２によれば鉄筋等補強芯入りのコンクリートブロック塀において、コンクリートブロックの内側壁に孔を設けて鉄筋等補強芯の一部を露出させ、ブロック塀における基礎の内側の地面埋め込み孔を穿設し、またブロック塀の内側に鉄骨等補強柱を、当該補強柱をして上記孔を隠蔽する状態及び下端部を埋め込み孔内に挿入した状態として配すると共にこの補強柱における孔と対応する個所を上記鉄筋等補強芯の露出個所にフックボルトを似て止め、また上記埋め込み孔にコンクリートを流し込んで補強柱の下端部を固定したものである。【０００４】  建築基準法施工例６２の８、補強コンクリートブロック造の塀による規定により一般的にブロック塀が構築され、コンクリートブロック塀も種々なデザインブロック塀等がみられるが重量なコンクリートブロックをモルタル、鉄筋を介しての湿式積み上げ工法である。
【特許文献１】特開２０００−２３０３５１５広報
【特許文献２】特開平  ９−２５０２５７号公報
【非特許文献１】建築基準法施工例６２の８補強コンクリートブロック造
【発明の開示】
【発明が解決しようとする課題】
【０００５】  地震による塀の倒壊被害を調査すると、コンクリートブロック塀の倒壊による被害が圧倒的に多く、その原因として、重量的なコンクリートブロックを用いてモルタル、鉄筋を介しての積み上げ工法、ブロック塀の老朽化、施工不良、建築基準法施工令違反、塀を庭土用の土留めとした構築等が考えられ、被害状況も倒壊したブロック塀の下敷き、非難通路の遮断、塀が重くて救助が困難等を考慮すると、塀材料の軽量化、施工方法、倒壊しにくい安全性の高い塀の構築が要求される。【０００６】  また、倒壊後のコンクリートブロック塀の処理も課題である。
【課題を解決するための手段】
【０００７】  杉、桧等の間伐材を用いて製材加工、乾燥させて、塀用木材ブロック部材１〜１７を所定の寸法、工程に基ついてプレカット工法等機械加工、量産化して、コストダウンを計り、部材の良質、直通材、高精度な加工材、保管管理に撤した木材ブロックを提供する。【０００８】  図６による木材ブロックの積み上げ工法は、コンクリートブロックの湿式工法から乾式工法に変え、基礎上に土台用木材ブロック１−１を基礎２０に埋設されたアンカーボルト２３で固定して、木材ブロック１−１と木材ブロック１を固定するためのさね１８を用いて上下間を固定する。控壁も同時施工とし、上段へと積み上げる工程を繰り返して最上段まで積み上げ、さね１８を介して木材ブロック部材５，６，８を固定して仕上げる木材ブロック塀の積み上げ工法。【０００９】  また、図７による木材ブロック塀に木材ブロック部材１１〜１７の柱を用いる工法は、基礎２０上に土台用木材ブロック２−１、柱用木材ブロック１１〜１７をアンカーボルト等で同時固定させ、柱に加工された溝に木材ブロック２を落とし込みさね１８を介して上下を固定、両端も柱に加工された溝へ固定して、さね１８を介して上下を固定、柱へ固定の工程で上段へと積み上げ最後に木材ブロック９を固定させて仕上げる木材ブロック塀の積み上げ工法。【００１０】  木材ブロック塀積み上げ工法それぞれにより、積み上げられた木材ブロック１〜４の上部へフック付アンカーボルト２５を固定し、地上面に別に設置された基礎に固定されたフック付アンカーボルト２５とワイヤーまたは鉄筋２６付ターンバックル２７で締め付けて木材ブロック塀倒壊防止工法とする。【００１１】  不要木材ブロックの処理について、木材は可燃性、腐朽性を有しており、木材を燃焼させて活用できるエネルギー資源、農林業分野では堆肥として活用できるので地球に優しい自然サイクル型として資源の再利用出来ることを特徴とする。
【発明の効果】
【００１２】  積み上げ工法も２タイプの乾式工法を用いることにより、従来工法のよるような専門技術を必要とせず施工が可能で、木材ブロックの長手方向寸法を一定化せず長尺化した種々な長さの部材を使用することにより、木材ブロック積み上げ作業能率も向上する。乾式工法で施工する木材ブロック塀は木材ブロックの組み合わせにより、８タイプが提供出来要望により対応出来るようにした。地震による倒壊防止工法として００１０項により道、道路への倒壊を防ぐことにより地震による被害を少なくし、非難、救助が容易になる。【００１３】  本発明が社会に普及される事により、国内の豊富な木材資源を活用出来、間抜される断面径が８０ミリ程度の小径木から大径の木材まで利用可能となり、今まで山林では木材の過密、曲がり等で間伐された大部分が利用されず放置されているが木材の曲がり部分、腐り部分、製品不可能部分を除き長短尺切断加工すれば利用度が高まる。木材ブロック塀の普及が進めば山林の間伐も進み、将来は雑木、下草も増え山を自然に返していくことにより、国産材の消費、水不足解消、山林の荒廃現象化に少しでも貢献できる大きな効果が期待できる。【００１４】  木材ブロック塀の普及が高まれば木材を産出する林業関係、木材ブロックを加工生産する製造関係、現場での木材ブロック塀施工による建設関係等に全工程を通して多くの雇用の場が確保でき、木材ブロック塀を構築することにより木材の持つやわらかさ、美しさ、温もりが人々の心を豊かにし今まで以上に町並み等の景観も大きな変化を生み出し優しい町作り、村作りが期待できる。
【発明を実施するための最良の形態】
【００１５】  間伐材の口径、長さ別に木材ブロック１〜１７に必要な寸法を確保するため木材を選別して製材加工された部材を機械乾燥、自然乾燥させて木材の曲がり、そり、丸み、傷、節の程度をチェックし不良品は除き各部材の加工図、工程順に従って加工に入る。自動加工機で各部材断面寸法の厚み、幅に加工、加工された図２、図４の部材１〜１７を加工図に基づいて加工機で所定の寸法まで溝を掘り込み削りとる。部材１−１〜４−１の土台として使用する部材下端には溝不要で下端両面にシーリング用の欠き込みを所定の寸法により加工、次に部材１〜６の長手方向の両端継ぎ手となる部位を所定継ぎ手方法により、加工機で加工して部材の長手方向に対して直角に所定の寸法ごとに化粧タテ目地を所定の幅、奥行きまで加工する。溝取り加工された笠木用部材８，１０の天端両面部及び四面部を所定寸法により加工機で斜めに加工、各部材の角仕上げは面取りカンナで削り仕上げとする。なお、部材１〜６の止まり部等の役物部材、控え壁部材は外観上さね１８，１９が露出しないように木材ブロック１〜６に加工される溝を端から、シーリングに必要な所定の寸法で止めて加工する。部材１〜６の木材ブロックについてはデザイン堀りされた化粧木材ブロックも加工、部材３，４，６についての組み立ては、塀１段目の土台となる部材３−１，４−１を除き工場組み立て、現場組み立ていずれかの方法によるものとし、部材２，２−１，４，４−１，５，６，９，１４〜１６の丸太面は磨き丸太素地仕上げとする。以上の木材ブロック部材は、長尺加工を基本とするがニーズに応えられる種々な長さの部材も加工して提供する。
【実施例１】
【００１６】  図１、図３，図６による木材ブロック塀積み上げ工法は、水平に調整された基礎２０天端に土台用に加工された木材ブロック１−１〜４−１を塀及び控え壁の１段目としてアンカーボルト２３で締め付け固定するが、アンカーボルト２３の取り付く位置の土台部材１−１，２−１は所定の高さまで座堀りして固定する。そして固定された土台天端に加工した溝へ接着剤を施しさね（中継ぎ木材）１８を落とし込み所定寸法ピッチでネジ釘を締め付け固定させ、２段目の木材ブロック１〜４の下端に加工された溝へ接着剤を施し土台上端のさね１８上に落とし込み木材ブロック１〜４の長手方向に所定寸法ピッチで所定の高さまで座堀り加工された部位にネジ釘を用いて締め付けて固定する。【００１７】  上記方法で木材ブロック１〜４をさね１８を介して１段々積み上げるが木材ブロック塀の構造体を考慮して所定の位置で基礎に埋め込まれたネジ切りアンカーボルト２４で木材ブロック３段目ごとに座金を用いてナットで締め付け固定させ上段へと積み上げる。木材ブロックの継ぎ手は上下段の同一箇所、控え壁の取り付く箇所を避ける。さね１８は出来るだけ長尺材を用いるが、木材ブロックの継ぎ手から所定の距離を置いて継ぎ手を設け、継ぎ手は、平金物、Ｌ金物、Ｔ金物を用いてネジ釘で締め付け補強するがこの時プレートの厚み分は、さね１８を欠きこみ木材ブロックの水平を保つようにして積み上げ最上段まで達したら、木材ブロックに座掘りしてネジ切りボルトを座金、ナットで締め付け固定さし、笠木８，９を取り付ける、さね１８を接着剤、ネジ釘で締め付け固定し、笠木下端に加工された溝に接着剤を施し笠木を落とし込み天端からステンレスネジ釘で締め付け固定する。又笠木不要の場合は、木材ブロック５，６を木材ブロック塀の最上段へ用い、下段の木材ブロック天端に固定された、さね１８上へ落とし込み座掘りされた部位にステンレスネジ釘を用いて固定する。
【実施例２】
【００１８】  次に図７、図８による木材ブロック塀積み上げ工法は、基礎２０上に土台用木材ブロック１−１〜４−１と柱用木材ブロック１１〜１７をアンカーボルト、片引き、両引きボルトで締め付けて固定するが、事前に土台用木材ブロック１−１，２−１は、それぞれ所定の高さの位置までアンカーボルト、柱引き締め用ボルトに必要な寸法を座掘り加工して各ボルトでそれぞれの柱と土台を締め付け固定する。００１７項の要領で、さね１８を介して２段、３段目と積み上げ、同時に木材ブロック１〜４の両端を柱１１〜１７へ接着剤、ネジ釘で締め付け固定する。作業工程は、柱間、控え壁を１区画として区画ごとに仕上げる方法及び先に柱すべてを土台に固定して塀全体、控え壁を１段ごとに積み上げていく方法が考えられるが現地の状況でいずれかの方法でも施工できる。積み上げた木材ブロックが最上段に達したら笠木８，９の下端に加工された溝に接着剤を施し、最上段のさね１８へ落とし込みステンレスネジ釘で締め付け固定する。また、笠木不要の場合は００１７項の要領で、５，６の木材ブロックを固定して仕上げる。【００１９】  図４により、積み上げられた最上段から数えて、下へ２段目木材ブロック部にボルト用通し孔を加工してフック付ボルト２５へ座金、ナットを用いて固定させ、地面上に所定の大きさに基づいて設置されたコンクリート独立基礎２０へ固定された、フック付アンカーボルト２５と所定太さのワイヤーまたは、鉄筋２６を取り付けターンバックル２７で締め付け、倒壊防止控えとし、木材ブロック塀の控え壁ごとに設置して地震発生時の通路、道路、隣地への倒壊防止工法とする。倒壊防止の控え位置は控え壁より少し離し平行して設け、基礎は木材ブロック塀、控え壁基礎から切り離して独立させて設置するものとし、控え用ボルト２５、ワイヤー又は鉄筋２６、ターンバックル２７は耐久性に優れた材質とする。【００２０】  次に積み上がった木材ブロック継ぎ手の縦目地、横目地、基礎に接する木材ブロック１−１〜４−１部分、柱へ接する木材ブロック部分、その他必要部にシーリングを施し、木材の素地を生かした方法で防腐、防義処置を施す。笠木８，１０はカラー鉄板包みとするが必ず笠木下端に加工された水切り用溝に加工したカラー鉄板を巻き上げて最終部には、水返しを設け雨水の塀への侵入を防ぐ。また、必要に応じて塗布、吹き付け等により防火処置も施し、木材ブロックの耐久を維持する為に防腐、防義処置を定期的に施す維持管理を提言する。
【図面の簡単な説明】
【００２１】
【図１】  本発明の実施の形態を示した木材ブロック部材１〜４，８，９を用いた断面図である。
【図２】  本発明の請求項１による木材ブロック（Ｗ，Ｂ）部材の断面図である。
【図３】  本発明の請求項２による木材ブロック塀の施工工法を示す斜視図である。
【図４】  本発明の請求項３による柱立て施工工法による木材部材の断面図である。
【図５】  本発明の請求項４による木材ブロック塀倒壊防止控えの施工工法を示す断面図である。
【図６】  本発明の木材ブロック塀積み上げ工法１の実施形態を示した立面図である。（実施例１）
【図７】  本発明の木材ブロック塀積み上げ工法２の実施形態を示した立面図である。（実施例２）
【図８】  同上の部分拡大図である。
【符号の説明】
【００２２】１      木材ブロック塀部材    普通角（基本断面）
１−１      同上              土台
２          同上              １面丸太
２−１      同上              土台１面丸太
３          同上              小角×２
３−１      同上              土台−小角
４          同上              １面小丸太×２
４−１      同上              土台１面小丸太
５          同上              天端１面丸太
６          同上              天端角＋１面丸太
７          同上              門柱
８          同上              笠木
９      木材ブロック塀部材    笠木１面丸太
１０        同上              門柱笠木
１１        同上              １方壁用柱
１２        同上              ３方壁用柱
１３        同上              ２方壁用柱
１４        同上              １方壁用丸柱
１５        同上              ３方壁用丸柱
１６        同上              ２方壁用丸柱
１７        同上              控え壁用柱
１８        同上              さね（中継ぎ木材）
１９        同上              さね（中継ぎ木材）小角、小丸太用
２０        基礎
２１    カラー鉄板
２２    シーリング
２３    アンカーボルト
２４    ネジ切りアンカーボルト
２５    フック付アンカーボルト
２６    ワイヤー又は鉄筋
２７    ターンバックル
【図１】
2005315043.tif 000003
【図２】
2005315043.tif 000004
【図３】
2005315043.tif 000005
【図４】
2005315043.tif 000006
【図５】
2005315043.tif 000007
【図６】
2005315043.tif 000008
【図７】
2005315043.tif 000009
【図８】
2005315043.tif 000010